(57)【要約】      （修正有）【課題】他のデジタル通貨の価値の参照基準となる他のデジタル通貨のハードカレンシーを提供する通貨の発行管理方法及びシステムを提供する。【解決手段】通貨の発行管理方法は、世界に現存する人口の数を特定するステップと、一人当たりの通貨保有数を特定するステップと、人口の数と通貨保有数との積を通貨の発行総数にするステップとを含む。【選択図】図１
2020027651.tif 000002
【特許請求の範囲】
【請求項１】
世界に現存する人口の数を特定するステップと、一人当たりの通貨保有数を特定するステップと、上記人口の数と上記通貨保有数との積を通貨の発行総数にするステップとを含むことを特徴とする通貨の発行管理方法。
【請求項２】
世界に現存する一人一人により自体の特有な特徴で上記通貨保有数を受け取ることを特徴とする請求項１に記載の通貨の発行管理方法。
【請求項３】
初回発行した後、毎年新たに生まれた人口の数を特定し、上記新たに生まれた人口の数と上記通貨保有数との積を通貨の増加発行数にすることを特徴とする請求項１に記載の通貨の発行管理方法。
【請求項４】
当年の通貨の発行総数の一定の割合を通貨の増加発行数にし、上記通貨の増加発行数の通貨を通貨発行機構に割り当てることを特徴とする請求項１に記載の通貨の発行管理方法。
【請求項５】
上記通貨の発行総数に基づいて、地球に現存の無属性の公共資源を平均に割り当て、１単位当たりの通貨が１単位の公共資源に対応することを特徴とする請求項１に記載の通貨の発行管理方法。
【請求項６】
世界に現存する人口の数を特定し、一人当たりの通貨保有数を特定し、上記人口の数と上記通貨保有数との積を通貨の発行総数にする発行機構を含むことを特徴とする通貨の発行管理システム。
【請求項７】
一人一人の通貨保有数に基づいて世界の現存する一人一人へ通貨を割り当てる割当機構をさらに含むことを特徴とする請求項６に記載の通貨の発行管理システム。
【請求項８】
初回発行した後、毎年新たに生まれた人口の数を特定し、上記新たに生まれた人口の数と上記通貨保有数との積を第１の通貨の増加発行数にするとともに、当年の通貨の発行総数の一定の割合を第２の通貨の増加発行数にし、上記第２の通貨の増加発行数の通貨を上記発行機構に割り当てる、増加発行機構をさらに含むことを特徴とする請求項６に記載の通貨の発行管理システム。
【請求項９】
上記通貨の発行総数に基づいて、地球に既存の無属性の公共資源を平均に割り当て、１単位当たりの通貨が１単位の公共資源に対応する資源配分機構をさらに含むことを特徴とする請求項６に記載の通貨的発行管理システム。
【発明の詳細な説明】
【技術分野】
【０００１】
本発明は通貨の発行管理方法およびシステムに関する。特に、本発明はバーチャルデジタル通貨の発行管理方法およびシステムに関する。
【背景技術】
【０００２】
通貨は人々が取引の効率を高めるために、ある媒体に対して達成した共通認識である。通貨の属性はある経済体系の興亡によって進化しつつ、贈り物経済の興起から実物通貨が生まれ、商品経済の興起から金属通貨が生まれ、金権経済の興起から金属代用通貨と信用通貨が生まれ、共有経済の興起は超主権通貨が生まれる。通常、通貨の価値は経済活動における取引効率に決定され、現在、世界中はまだ金権経済を主とするマーケット体系にあり、信用通貨の効率が最も高い。
【０００３】
通貨には流通通貨もあれば、様々な貯蓄貯金も含まれる。現代経済における通貨の分野では極僅かな部分だけが実体通貨、すなわち、実際に流通されている紙幣または硬貨（たとえば、初期に使われた金銀のハードカレンシーや、今日によく見られる「紙幣」の取引タイプ）で表示される。記帳システムとコンピューターネットワークが流行した後、ほとんどの取引は小切手または電子マネー（第三者支払またはクレジットカード）が使用されている。
【０００４】
通貨エリアとは、ある単一の通貨が流通・使用される国または地域のことである。通常、各国は唯一の通貨しか使用していない。通貨は当局の中央銀行機構が強制的に発行とコントロールし、中央銀行は自国の通貨の額面と発行量を決定する権利があるが、通貨のマーケット購買力を決定する権利がない。複数の国で同一の通貨を使用してもよく、たとえば、欧州連合加盟国で通用されているユーロ、西アフリカ諸国経済共同体の西アフリカフランなどがある。
【０００５】
伝統的な通貨発行の準備制度は、通貨の発行規模を規制して通貨信用を維持するために制定されたもので、通貨の発行者は通貨を発行する際にある金属または資産を発行準備にしなければならない。金属通貨の制度では、通貨発行は法律で規定された貴金属を発行準備にし、現代の信用通貨の制度では、各国による通貨発行の準備制度の内容が複雑で、一般的に現金準備と証券準備の二つの種類がある。そのため、伝統的な通貨はある金属または信用を発行準備にするものであり、世界の実際の財産総額とは関係ない。ある通貨エリアでは、無制限で不規則に人為的かつ勝手に紙幣を印刷して、通貨マーケット全体を混乱させ、不合理・不公平な現象を引き起こしている。また、ある金属または信用を発行の準備として、人口数の増減や世界財産総額の変化を表すことはできない。
【０００６】
インターネット時代に入ってから、新型の通貨タイプであるデジタル通貨が現れ、デジタル通貨が脱中心化のブロックチェーン技術である。ビットコインは典型的なデジタル通貨で、ブロックチェーン支払システムとバーチャル料金計算ツールであり、暗号化技術を採用して通貨の生産と移転をコントロールしているため、中央の発行機構がなく、自由に増し発行することができず、しかも取引はグローバルネットワークで運営され、特別な秘密性を持っていることに加えて、第三者の金融機構を経由する必要がなく、ユーザはパソコンとスマートフォンの暗号化財布ソフトを利用して、銀行、クレジットカード、オンライン支払会社などの仲介機構を経由する必要なく、いつでもどこでもネットワーク上で物品やサービスと直接交換できる。このため、デジタル通貨はますます幅広く応用されているが、同時に不正取引の媒体にもなっている。
【０００７】
記帳システムとして、ビットコインは新たなマネーを発行し、取引を維持するには、中央機構に頼らずに、ブロックチェーンで完成され、暗号化技術で連結された、取引記録からなるデータブロックのため、攻撃者の計算力がネットワーク全体の５０ ％を超えて初めてビットコインネットワークへの攻撃を実現できる。主に二重使用の状況、すなわち、１回以上に支払うことを防止すると同時に新たな取引の確認を阻止する。取引記録は全ノードに保存され、採掘記録により取引情報を収集して検証する。
【０００８】
記帳単位として、ビットコインの最小単位は０．０００００００１ （一億分の一）ビットコインであり、「１サトシ」と呼ばれている。必要に応じて、協議を修正して、さらに流通しやすいようより小さな単位に分けることも出来、ブロックの収益率について２１万個を新たに産出するごとに、１回に半減し、約４年かかり、直近半減したのは２０１６年７月９日であり、このように等比数列の和を収束するのは必然的に制限があり、２１４０年になると、新たなビットコインが発生しなくなり、最終的に流通中のビットコインは常に２１００万個を下回る。２０１８年３月まで、ビットコインの供給量は約１７００万個であり、実際の流通量は暗号化キーの紛失などでさらに減少する。そのため、ビットコインの発行量は基本的に固定値であり、世界の実際の財産総額とは関係ない。そして、ビットコインは、通貨が持つべき合理的な需給比率を調節する属性を無視して、次第に増価しつつあるコレクションと投資物になって、実際に通貨の購買と流通の属性を失ってしまった。
【発明の概要】
【０００９】
本発明により解決しようとする課題は、通貨の発行管理方法およびシステムを提供することであり、これにより、当該通貨の総数が世界中の人口の総数と関連するとともに、世界中の財産総額とも関連し、実体通貨を無制限で不規則に人為的かつ勝手に印刷されたり、勝手に増し発行したりするという不合理・不公平な現象を途絶し、同時に、人口数の増減および世界財産総額の変化に伴い、当該通貨には合理的な通貨総数のダイナミックス性と漸次変化性をさらに有させる。
【００１０】
さらに、本発明は、他のデジタル通貨の価値の参照基準となる他のデジタル通貨のハードカレンシーを提供することを目的とする。
【００１１】
本発明で提供する通貨の発行管理方法は下記のステップを含み、世界に現存する人口の数を特定し、一人当たりの通貨保有数を特定し、上記人口の数と上記通貨保有数との積を通貨の発行総数にする。
【００１２】
世界に現存する人々の一人一人が自身の特有な特徴で上記通貨保有数を受け取る。
初回発行した後、毎年新たに生まれた人口の数を特定し、上記新たに生まれた人口の数と上記通貨保有数との積を通貨の増加発行数にする。
【００１３】
当年の通貨の発行総数の一定の割合を通貨の増加発行数にし、上記通貨の増加発行数の通貨を通貨発行機構に割り当てる。
【００１４】
上記通貨の発行総数に基づいて、地球に既存の無属性の公共資源を平均に割り当て、１単位当たりの通貨が１単位の公共資源と相当する。
【００１５】
単位ごとの公共資源は地理位置、時間周期、生成時間、ランダム数などからなる。
【００１６】
本発明は、世界に現存する人口の数を特定し、一人当たりの通貨保有数を特定し、上記人口の数と上記通貨保有数との積を通貨の発行総数にする発行機構を含む、通貨の発行管理システムをさらに提供している。
【００１７】
当該システムは、一人一人の通貨保有数に基づいて通貨を世界の現存する一人一人へ割り当てる割当機構をさらに含む。
【００１８】
当該システムは、初回発行した後、毎年新たに生まれた人口の数を特定し、上記新たに生まれた人口の数と上記通貨保有数との積を第１の通貨の増加発行数にするとともに、当年の通貨の発行総数の一定の割合を第２の通貨の増加発行数にし、上記第２の通貨の増加発行数の通貨を上記発行機構に割り当てる増加発行機構をさらに含む。
【００１９】
当該システムは、上記通貨の発行総数に基づいて、地球に既存の無属性の公共資源を平均に割り当て、１単位当たりの通貨が１単位の公共資源と相当する資源割当機構をさらに含む。
【００２０】
本発明で提供する通貨の発行管理方法およびシステムにより、発行されるバーチャルデジタル通貨を公平に割り当てることができ、当該通貨は、世界中の財産総額と関連され、その自身の価値を正確に定量化できることによって、他の通貨の価値に参照できる根拠となる。
【図面の簡単な説明】
【００２１】
【図１】図１は本発明に係る通貨の発行管理方法の主要ステップである。
【発明を実施するための形態】
【００２２】
図１に示すように、本発明の通貨の発行管理方法の主要ステップである。
【００２３】
本発明に係る通貨の発行管理方法により、ここに前記の通貨とは、バーチャル暗号化されたデジタル通貨であり、世界中で流通可能で、この通貨の名称は、Ｗｏｒｌｄ ｎｅｗ ｍｏｎｅｙ（以下、当該通貨と略称する）である。当該通貨は通常の通貨の属性を有し、当該通貨の基本単位は、「購買力」（Ｐｕｒｃｈａｓｉｎｇ ｐｏｗｅｒ、Ｐと略称する）、一つの通貨単位（枚）は１Ｐである。
【００２４】
本発明の通貨の発行管理方法により、当該通貨の総数は世界中の人口の総数と関連し、世界中の財産総額とも関連する。実体通貨の無制限で不規則に人為的かつ勝手に印刷されたり、勝手に増加発行したりするという不合理・不公平な現象を途絶する。
【００２５】
図１に示すように、本発明に係る通貨の発行管理方法は下記のステップを含む。すなわち、
世界に現存する人口の数を特定するステップ（Ｓ１０）と、一人当たりの通貨保有数を特定するステップ（Ｓ２０）と、上記人口の数と上記通貨保有数との積を通貨の発行総数にするステップ（Ｓ３０）と、を含む。公平の原則から、本発明は世界に現存する一人当たりに同数の通貨を発行し、初回発行する際に、特定された世界の現存する人口の数と特定された一人当たりの通貨保有数に基づいて計算し、通貨の発行総数を特定できる。
【００２６】
例えば、仮に発行時特定できた世界の人口総数が７０億で、かつ、特定された一人当たりの保有通貨数が１０（すなわち、１０Ｐ）であるとすれば、当該通貨の初回発行数は７００億Ｐとなり、すなわち、一定通貨量である。
【００２７】
通貨が初回発行された後、通貨を初期割り当てる必要がある。当該通貨の公平性を表すためには、すべての人が平等であるという角度から一人一人の命の価値に対する公平な尊重を表すべきであり、これが公平な原則であり、当該通貨は「公平通貨」と呼んでもよい。地球に現存する一人一人は、生まれたばかりの赤ちゃんを含めて、無償で当該通貨を取得できる。もし、一人当たりの保有通貨数が１０（すなわち、１０Ｐで）であると特定すれば、一人一人が自発的に特有な身体的特徴、例えば、指紋、眼底、顔あるいは他の人体の部位の特徴によって、無償で当該通貨を１０Ｐ取得できる。
【００２８】
本発明に係る通貨は、その特有のリソース性を持っており、その公平な原則に基づいて、当該通貨が全人類に平均的に所有されているものに属するため、地球に既存の無属性の公共資源と相当でき、無属性の自然リソースは平均的に全人類に属すべきであるという原則を表す。上記通貨の発行総数に基づいて、地球に既存の無属性の公共資源を平均に割り当て、１単位当たりの通貨が１単位の公共資源に対応する（Ｓ４０）。単位ごとの公共資源は地理位置、時間周期、生成時間、ランダム数などからなる。例えば、地球上のすべての公海を平均的に１０００億個のブロックに分けることができ（世界中の人口が将来の成長限界を１００億と仮定して、一人一人に無償で１０Ｐの通貨を発行して、合計で１０００億Ｐとなる）、ブロック毎の海は自分の緯度と経度の四組の数字を持って、決して重複することはなく、１Ｐ単位当たりの当該通貨にそれぞれ異なる四組の数字をつけて、発行されると一人一人が対応する１０個のブロックの海の所有権を持っている。他の無属性の自然リソースも同様に分割でき、当該通貨と一体となって、人類全体に属する。
【００２９】
人口数の増減および世界財産総額の変化に伴い、当該通貨は合理的な通貨総数のダイナミックス性と漸次変化性をさらに有し、通貨総数の硬直固定を回避し、通貨が持つべき合理的な需給比率を調節する属性を考慮するために、当該通貨の通貨総数は初回一定の総数を発行した上で変化している。一定の総数とは、世界中の人口の数で発行された金額であり、一定は相対的なものに過ぎず、後続の新たに生まれた人口の到来に伴い、通貨量も徐々に増し発行される。初回発行後、毎年新たに生まれた人口の数を特定し（Ｓ５０）、上記新たに生まれた人口の数と上記通貨保有数との積を通貨の増加発行数にする（Ｓ６０）。当該部分の増加発行された通貨を、新たに生まれた人口に均等に割り当てる。
【００３０】
当該通貨の無償利用を確保するために、発行管理コストを利用者に平均して負担させることしない。当年の通貨の発行総数の一定の割合を通貨の増加発行数にし、上記通貨の増加発行数の通貨を通貨発行機構に割り当てる。例えば、当年の通貨発行量の３％を当該通貨の発行費、管理費および運営費として増加発行し、この部分の増加発行数の通貨を発行機構に割り当てる。
【００３１】
このような通貨は世界中の物質的な財産の総数と関連され、等価額で世界の財産の通貨を表すことができる。毎年、世界中の物質的な財産の増加や減少によって、このような通貨量の増価や減価を決定する。例えば、当年の世界中の総資産の値がＡドルの場合に、当該通貨のＰあたりの価値は、世界中の総資産の値を通貨の総数で割ったものに相当し、単位当たりの当該通貨Ｐの価値＝ Ａ/１０３０億（ドル）であり、ここに、通貨の総数に対して、１００億の総人口および３％の発行管理費で計算される。次の年に、もし世界中の総資産の値Ａが増加すれば、当該通貨保有者に比例して通貨を増加発行する。もし世界中の総資産の値Ａが減少すれば、当該通貨は比例して減価され、例えば、Ａが１０％減少すると、単位当たりの当該通貨の購買力は１Ｐから０.９Ｐになる。
【００３２】
本発明に開示されている通貨は他の種類の通貨と同様に、財産の創造、マーケット取引、利益所得などの方法で取得できる。
【００３３】
正にドルが数多くの実体通貨の中でハードカレンシーとされているように、このような通貨は様々なデジタル通貨のハードカレンシーとされることができる。現在で既存のバーチャル通貨について、例えばビットコイン、イーサリアムなど既に２０００種類以上あり、それらの間の価格変化と定価基準は依然としてドルで表されており、公認されるバーチャルデジタル通貨で定価されていない。しかし、本発明に開示されている通貨は世界の物質的な財産の総数と関連され、バーチャル通貨におけるハードカレンシーにすることができる。本発明に開示されている通貨は、バーチャルデジタル通貨の中で世界中の物質的な財産（世界中の総資産）と関連する通貨であり、世界中の総資産の価値に依拠してドルに定量化された通貨である。当該通貨の価値を参考基準にして、計算により他のバーチャル通貨の価値を特定することは、最も権威のあり、最も科学的で、最も公正であるというものである。それぞれのバーチャル通貨の毎日の購入量と販売量に基づいて、計算により様々なバーチャルデジタル通貨の増減価を特定することによって、各通貨間の為替レートを特定する。発行、管理機構は当日の為替レートに基づいた各種のバーチャル通貨の公告を提供し、自発的に両替サービスを提供するとともに、相当する手数料を受け取る。発行、管理機構はさらに各官庁の合法的または個人所有のオープンバーチャル通貨取引所及びプラットフォームに対して、権威のある取引為替レート基準を提供できる。
【００３４】
本発明は、発行機構と、割当機構と、増加発行機構と、資源配分機構と、を含む通貨の発行管理システムをさらに提供している。ここに、前記発行機構は、世界に現存する人口の数を特定し、一人当たりの通貨保有数を特定し、上記人口の数と上記通貨保有数との積を通貨の発行総数にし、通貨の発行総数に基づいて通貨を発行する。
【００３５】
上記割当機関は、一人当たりの通貨保有数に基づいて、世界に現存する一人一人に通貨を割り当てる。世界に現存する一人一人が個人の特有な身体的特徴で一人当たりに対応する通貨保有数の通貨を受け取る。
【００３６】
前記増加発行機構は、当該通貨を増加発行するために用いられ、初回発行した後、毎年新たに生まれた人口の数を特定し、上記新たに生まれた人口の数と一人当たりの通貨保有数との積を第１の通貨の増加発行数にし、発行機構は、第１の通貨の増加発行数の通貨を、新たに生まれた人口に均等に割り当てる。一方、発行機構のコストを均衡させるために、当年の通貨の発行総数の一定の割合を第２の通貨の増加発行数とし、上記第２の通貨の増加発行数の通貨を上記発行機構に割り当てる。その割合は、発行コスト、管理コスト、プラットフォームメンテナンスコストなどの要素によって決定できる。
【００３７】
上記資源配分機構は上記通貨の発行総数に基づいて、地球に現存の無属性の公共資源を平均に割り当て、１単位当たりの通貨が１単位の公共資源に対応する。公共資源は、地球で無属性のリソースでもよく、さらに宇宙でまだ無属性のリソースでもよい。平均分配の原則から、これらのリソースを通貨ユニットごとに対応する。
【００３８】
通貨の発行管理システムには、当該通貨の所有者に取引を行う場所を提供する取引プラットフォームも含まれており、当該通貨の所有者が取引双方の意志で取引を行い、当該通貨の所有権の変更が完了される。
【００３９】
当業者にとって、本発明の上記実施形態に基づいてなされたいかなる補正・変更も、本発明の趣旨を逸脱しない限り、本発明の特許請求の範囲に含まれるべきである。
【図１】
2020027651.tif 000003